(57)【要約】【課題】外部端末から合成対象の画像データを着脱などの作業を伴うことなく簡単に入手して元画像上の指定位置へ合成することのできる画像処理システムを提供する。【解決手段】合成対象の画像データと照合用の指紋データは端末装置３０に予め記憶されている。複合機１０はタッチパネルを備えた表示部を備え、表示部に元画像を表示し、該元画面上でユーザが合成希望位置を指で押下すると、その押下位置を認識しかつ指の指紋を読み取る。押下中はそのユーザの指および体が通信路となって複合機１０と端末装置３０が通信可能に接続され、指紋データが授受されて指紋照合が行われる。照合に成功すると複合機１０は端末装置３０から画像データを入手し、この画像データを元画像の指定された合成位置に合成する。【選択図】図１
2010219785.tif 000002
【特許請求の範囲】
【請求項１】
画像データに基づく画像を表示する表示部と、
前記表示部の画面の押下された位置を検出する検出部と、
前記表示部の画面を押下している人体を通信路にして接続された端末装置と通信する通信部と、
前記表示部の画面が押下されている間に前記通信部に前記端末装置から所定のデータを取得させると共に、前記表示部に表示されている画像の画像データに対して、取得した前記データに基づく画像データを、前記検出部によって検出された前記押下の位置に対応する合成位置に合成する制御部と、
を備えた画像処理装置と、
前記データを記憶する記憶部と、
前記記憶部に記憶されている前記データを前記表示部の画面を押下している人体を通信路にして前記画像処理装置へ送信する通信部と、
を備えた端末装置と
を有する
ことを特徴とする画像処理装置システム。
【請求項２】
前記画像処理装置は、前記表示部の画面を押下している指の指紋情報を取得する指紋検出部をさらに備え、前記制御部は、前記通信路で接続された前記端末装置に前記指紋検出部が取得した指紋情報を送信し、
前記端末装置は、前記記憶部に照合用の指紋情報をさらに記憶しており、前記画像処理装置から受信した前記指紋情報と前記記憶部に記憶されている前記照合用の指紋情報とを照合し、その照合結果を前記画像処理装置に前記通信路を通じて送信し、
前記画像処理装置は、前記端末装置から照合成功の照合結果を受信した場合は前記合成を行い、照合成功の照合結果を受信しない場合は前記合成を行わない
ことを特徴とする請求項１に記載の画像処理システム。
【請求項３】
前記画像処理装置は、前記表示部の画面を押下している指の指紋情報を取得する指紋検出部をさらに備え、前記制御部は、前記通信路で接続された前記端末装置に対して照合用の指紋情報の送信要求を送信し、
前記端末装置は、前記記憶部に照合用の指紋情報をさらに記憶しており、前記送信要求に応じて前記照合用の指紋情報を前記画像処理装置に前記通信路を通じて送信し、
前記画像処理装置は、前記端末装置から受信した前記照合用の指紋情報と前記指紋検出部が取得した指紋情報とを照合し、該照合結果が照合成功の場合は前記合成を行い、照合成功でない場合は前記合成を行わない
ことを特徴とする請求項１に記載の画像処理システム。
【請求項４】
前記画像処理装置は、前記合成した後の画像データを前記端末装置へ前記通信路を通じて送信し、
前記画像データを受信した前記端末装置は該画像データを前記記憶部に記憶する
ことを特徴とする請求項１乃至３のいずれか一項に記載の画像処理システム。
【請求項５】
前記画像処理装置は、前記合成位置を微調整する操作を受ける微調整設定部をさらに有する
ことを特徴とする請求項１乃至４のいずれか一項に記載の画像処理システム。
【請求項６】
前記画像処理装置は、前記端末装置から受信した複数のデータの中から前記合成の対象にするデータの選択操作を受ける合成対象選択部をさらに有する
ことを特徴とする請求項１乃至５のいずれか一項に記載の画像処理システム。
【請求項７】
前記画像処理装置が前記端末装置から取得する合成対象のデータは、テキストデータであり、
前記制御部は、前記テキストデータを２次元バーコード化して得た画像データを合成する
ことを特徴とする請求項１乃至６のいずれか一項に記載の画像処理システム。
【請求項８】
請求項１乃至７のいずれか一項に記載の画像処理システムに含まれる画像処理装置。
【請求項９】
請求項１乃至７のいずれか一項に記載の画像処理システムに含まれる端末装置。
【発明の詳細な説明】
【技術分野】
【０００１】
本発明は、画像データ中の指定位置に別の画像データを合成する画像処理システム等に関する。
【背景技術】
【０００２】
近年、表示部に表示されている画像にスタンプなどの小画像を合成し、その合成後の画像をファクシミリ送信したり、プリントアウトしたりすることのできる複合機がある。
【０００３】
たとえば、複合機に印鑑データ（印鑑画像）を予め登録しておき、画像データの中の指定位置に印鑑データを合成するものがある。詳細には、事前準備として、各ユーザの指紋情報とそのユーザの印鑑データとを複合機に登録する。実際の貼り付け作業では、タッチパネル機能を有する表示部に印鑑データを貼り付けるべき画像データの全体を表示する。そして、この画像データの表示領域内にユーザの指が触れたことをタッチパネルが感知すると、当該接触情報から、指の位置を認識して印鑑データの貼付位置を決定すると共に、接触情報から取得した指紋情報に対応付けされた印鑑データを、登録されている印鑑データの中から選出し、該印鑑データを画像データに貼り付けるようになっている（特許文献１参照。）。
【先行技術文献】
【特許文献】
【０００４】
【特許文献１】特開２００８−９２４９０号公報
【発明の概要】
【発明が解決しようとする課題】
【０００５】
表示部を指で触れるだけで、その触れた位置にその触れたユーザの印鑑画像が合成されることは便利であるが、多人数に共用される複合機に予めユーザの指紋情報や印鑑データを登録することは、セキュリティ上好ましくない。
【０００６】
また、指紋情報や印鑑データを予め複合機に登録しておかなければ、上記の機能を利用できないので不便である。また、合成後の画像の控えが必要であっても、それを残す方法がなかった。
【０００７】
複合機の内部に指紋情報や印鑑データを登録する代わりに、ＵＳＢ（Universal Serial Bus）メモリなどのリムーバブルの記憶媒体に指紋情報や印鑑データを予め記憶させておき、これを複合機に挿着する方法も想定されるが、ＵＳＢメモリなどの着脱作業が煩雑であると共に、抜き忘れによる情報漏洩が懸念される。
【０００８】
本発明は、上記の問題を解決しようとするものであり、合成対象のデータを着脱などの作業を伴うことなく外部端末から簡単に入手して指定の位置へ画像合成することのできる画像処理システムおよびこれに含まれる画像処理装置、端末装置を提供することを目的としている。
【課題を解決するための手段】
【０００９】
かかる目的を達成するための本発明の要旨とするところは、次の各項の発明に存する。
【００１０】
［１］画像データに基づく画像を表示する表示部と、
前記表示部の画面の押下された位置を検出する検出部と、
前記表示部の画面を押下している人体を通信路にして接続された端末装置と通信する通信部と、
前記表示部の画面が押下されている間に前記通信部に前記端末装置から所定のデータを取得させると共に、前記表示部に表示されている画像の画像データに対して、取得した前記データに基づく画像データを、前記検出部によって検出された前記押下の位置に対応する合成位置に合成する制御部と、
を備えた画像処理装置と、
前記データを記憶する記憶部と、
前記記憶部に記憶されている前記データを前記表示部の画面を押下している人体を通信路にして前記画像処理装置へ送信する通信部と、
を備えた端末装置と
を有する
ことを特徴とする画像処理装置システム。
【００１１】
上記発明では、画像処理装置の表示部の画面が押下されたとき、画像処理装置はその押下位置を検出すると共にその押下したユーザの指および体を通信路にして接続された端末装置から合成対象の画像に係るデータを取得し、表示部に表示されている画像内の押下位置に合成対象の画像を合成する。これにより、ユーザは、元画像の表示された表示部の画面上を指で押下するだけで、該ユーザが携帯する端末装置に予め記憶されているデータに基づく合成対象の画像を、元画像内の押下位置に合成することができ、きわめて高い利便性が提供される。また、合成対象の画像に係るデータは個人の端末装置に記憶され、共用される画像処理装置に記憶されないので、セキュリティを確保することができる。
【００１２】
［２］前記画像処理装置は、前記表示部の画面を押下している指の指紋情報を取得する指紋検出部をさらに備え、前記制御部は、前記通信路で接続された前記端末装置に前記指紋検出部が取得した指紋情報を送信し、
前記端末装置は、前記記憶部に照合用の指紋情報をさらに記憶しており、前記画像処理装置から受信した前記指紋情報と前記記憶部に記憶されている前記照合用の指紋情報とを照合し、その照合結果を前記画像処理装置に前記通信路を通じて送信し、
前記画像処理装置は、前記端末装置から照合成功の照合結果を受信した場合は前記合成を行い、照合成功の照合結果を受信しない場合は前記合成を行わない
ことを特徴とする［１］に記載の画像処理システム。
【００１３】
上記発明では、画像処理装置は、表示部が指で押下されたときに指紋情報を読み取ってその指紋情報を端末装置に人体を通じて送信し、端末装置は自装置に予め記憶している照合用の指紋情報と画像処理装置から受信した指紋情報とを照合してその照合結果を画像処理装置に返信する。画像処理装置が照合成功の場合のみ、その端末装置から入手される画像の合成を行う。照合用の指紋情報を記憶している端末装置で指紋照合が行われるので、照合用の指紋情報の漏洩が防止される。
【００１４】
［３］前記画像処理装置は、前記表示部の画面を押下している指の指紋情報を取得する指紋検出部をさらに備え、前記制御部は、前記通信路で接続された前記端末装置に対して照合用の指紋情報の送信要求を送信し、
前記端末装置は、前記記憶部に照合用の指紋情報をさらに記憶しており、前記送信要求に応じて前記照合用の指紋情報を前記画像処理装置に前記通信路を通じて送信し、
前記画像処理装置は、前記端末装置から受信した前記照合用の指紋情報と前記指紋検出部が取得した指紋情報とを照合し、該照合結果が照合成功の場合は前記合成を行い、照合成功でない場合は前記合成を行わない
ことを特徴とする［１］に記載の画像処理システム。
【００１５】
上記発明では、画像処理装置は、表示部が指で押下されたときに指紋情報を読み取ると共に、端末装置が予め記憶している照合用の指紋情報を該端末装置から受け取り、この照合用指紋情報と読み取った指紋情報との指紋照合を行う。そして、照合成功の場合のみ、端末装置から入手される画像の合成を行う。画像処理装置側で指紋照合を行うので、端末装置の処理負担が軽減される。
【００１６】
［４］前記画像処理装置は、前記合成した後の画像データを前記端末装置へ前記通信路を通じて送信し、
前記画像データを受信した前記端末装置は該画像データを前記記憶部に記憶する
ことを特徴とする［１］乃至［３］のいずれか一項に記載の画像処理システム。
【００１７】
上記発明では、合成後の画像データが端末装置に控えとして記憶される。
【００１８】
［５］前記画像処理装置は、前記合成位置を微調整する操作を受ける微調整設定部をさらに有する
ことを特徴とする［１］乃至［４］のいずれか一項に記載の画像処理システム。
【００１９】
上記発明では、指で押下した位置を微調整して合成位置を決定することができる。
【００２０】
［６］前記画像処理装置は、前記端末装置から受信した複数のデータの中から前記合成の対象にするデータの選択操作を受ける合成対象選択部をさらに有する
ことを特徴とする［１］乃至［５］のいずれか一項に記載の画像処理システム。
【００２１】
上記発明では、端末装置に記憶されている複数のデータの中から、合成対象の画像を選択することができる。
【００２２】
［７］前記画像処理装置が前記端末装置から取得する合成対象のデータは、テキストデータであり、
前記制御部は、前記テキストデータを２次元バーコード化して得た画像データを合成する
ことを特徴とする［１］乃至［６］のいずれか一項に記載の画像処理システム。
【００２３】
上記発明では、端末装置に記憶されているテキストデータが２次元バーコード化されて元画像に合成される。
【００２４】
［８］［１］乃至［７］のいずれか一項に記載の画像処理システムに含まれる画像処理装置。
【００２５】
［９］［１］乃至［７］のいずれか一項に記載の画像処理システムに含まれる端末装置。
【発明の効果】
【００２６】
本発明に係る画像処理システム、画像形成装置、端末装置によれば、合成対象のデータを着脱などの作業を伴うことなく外部端末から簡単に入手して指定の位置へ画像合成することができる。
【図面の簡単な説明】
【００２７】
【図１】本発明の実施の形態に係る画像処理システムのシステム構成例を示す説明図である。
【図２】画像処理装置としての複合機の概略構成を示すブロック図である。
【図３】端末装置の概略構成を示すブロック図である。
【図４】非認証モードかつ端末装置に１つのデータのみが登録されている場合における画像合成のシーケンスを示す説明図である。
【図５】図４のシーケンスにおける複合機の動作を示す流れ図である。
【図６】図４のシーケンスにおける端末装置の動作を示す流れ図である。
【図７】非認証モードかつ端末装置に複数のデータが登録されている場合における画像合成のシーケンスを示す説明図である。
【図８】図７のシーケンスにおける複合機の動作を示す流れ図である。
【図９】図７のシーケンスにおける端末装置の動作を示す流れ図である。
【図１０】非認証モードかつ端末装置にデータが１つのみ登録され、かつ合成位置の微調整を受ける場合における画像合成のシーケンスを示す説明図である。
【図１１】図１０のシーケンスにおける複合機の動作を示す流れ図である。
【図１２】合成位置の指定を受ける画面が表示された操作パネルの一例を示す正面図である。
【図１３】端末装置で指紋照合を行う場合の画像合成のシーケンスを示す説明図である。
【図１４】図１３のシーケンスにおける複合機の動作を示す流れ図である。
【図１５】図１３のシーケンスにおける端末装置の動作を示す流れ図である。
【図１６】複合機で指紋照合を行う場合の画像合成のシーケンスを示す説明図である。
【図１７】図１６のシーケンスにおける複合機の動作を示す流れ図である。
【図１８】図１６のシーケンスにおける端末装置の動作を示す流れ図である。
【発明を実施するための形態】
【００２８】
以下、図面に基づき本発明の実施の形態を説明する。
【００２９】
図１は、本発明の実施の形態に係る画像処理システム５のシステム構成例を示している。画像処理システム５は、画像処理装置としての複合機１０と、この複合機１０を操作するユーザがポケットに入れたり身に付けたりして携帯する端末装置３０とから構成される。
【００３０】
複合機１０は、原稿画像を光学的に読み取ってその複製画像を記録紙に印刷するコピー機能、読み取った原稿の画像データをファイルにして保存したり外部端末へ送信したりするスキャン機能、パーソナルコンピュータなどの外部端末から受信した印刷ジョブに係る画像を記録紙上に形成して出力するＰＣプリント機能、画像データを送受信するファクシミリ機能などを備えた複合機と称される装置である。
【００３１】
さらに複合機１０は、表示している文書などの元画像にスタンプや印影等の合成対象の画像を挿入・合成して送信やプリントアウトする機能を備えている。合成対象画像に係るデータは端末装置３０に予め記憶されている。この端末装置３０を身に着けたユーザが、元画像の表示された複合機１０の表示部画面上の合成希望位置に指で触れると、該ユーザの人体が通信路となって複合機１０と端末装置３０とが接続される。複合機１０はこの人体通信路を通じて端末装置３０からデータを取得する。複合機１０は、ユーザが指で押下した位置を検出する検出部としてのタッチパネルを表示部画面上に備えており、検出した押下位置から画像の合成位置を決定し、表示部に表示されている元画像上の該合成位置に、端末装置３０から取得したデータに基づく画像を合成する機能を備えている。
【００３２】
さらに印影データのようにセキュリティが求められる画像を合成する場合には、指紋照合により本人認証を行うようになっている。画像処理システム５では、端末装置３０に照合用の指紋データが予め記憶されており、複合機１０はユーザが表示部を指で押下したときにその指の指紋を読み取る機能を有している。そして、複合機１０が読み取った指紋の指紋データと端末装置３０に予め記憶されている照合用の指紋データとを複合機１０もしくは端末装置３０で照合し、本人認証に成功した場合にのみ、元画像への画像合成が行われるようになっている。
【００３３】
人体を通信路とする通信方法(人体通信とも称する)には、電流方式と電界方式とがある。人体通信は、人体を通信路として近距離のデータ通信を行う技術であり、電流方式は、人体に微弱な電流(交流)を流し、その電流にデータ(情報)をのせることで通信する方式である。腕時計型などの通信機を装着した手で情報端末の電極にタッチするだけでデータ通信が可能となるものである。電界方式では、人体の近傍に電界を発生させる事で誘電体である人体が誘電分極し、人体全体が電界をまとった通信路になる。電界方式は、この電界の変動を信号として検出するので、送受信機と人体は直接触れている必要がなく、信号経路の間に絶縁体があっても通信が成立する。端末装置３０は、人体通信の機能を備えており、カード型(例えば従業員証に埋め込む)、腕時計型、鍵型などの形態とすることができる。
【００３４】
図２は、複合機１０の概略構成を示すブロック図である。複合機１０は、当該複合機１０の動作を制御するＣＰＵ（Central Processing Unit）１１にバス１２を介して、読取部１３と、記録部１４と、ＲＯＭ（Read Only Memory）１５と、ＲＡＭ（Random Access Memory）１６と、表示部１７と、操作部１８と、画像処理部２１と、外部端末通信部２２と、ネットワーク通信部２３と、通信制御部２４と、電源制御部２５と、ハードディスク装置２６と、モデム２７などが接続されて構成されている。モデム２７の配下にはＮＣＵ（Network Control Unit）２８が接続されている。
【００３５】
読取部１３は、原稿画像を光学的に読み取って画像データを取得する。読取部１３は、たとえば、原稿に光を照射する光源と、その反射光を受けて原稿を幅方向に１ライン分読み取るラインイメージセンサと、原稿からの反射光をラインイメージセンサに導いて結像させるレンズやミラーなどからなる光学系のほか、ミラーや光源を移動させてライン単位の読取位置を原稿の長さ方向に順次移動させる移動機構などを備えて構成されている。
【００３６】
記録部１４は、画像データに基づく画像を電子写真プロセスによって記録紙上に形成して出力する。記録部１４は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００３７】
ＲＯＭ１５には各種プログラムや固定データが格納され、ＣＰＵ１１はこれらのプログラムに従って各種の処理を実行する。ＲＡＭ１６はＣＰＵ１１がプログラムを実行する際に各種のデータを一時的に格納するワークメモリや画像データを一時記憶する画像メモリとして使用される。ハードディスク装置２６は、読取部１３で読み取られた原稿の画像データや、外部ＰＣ（パーソナルコンピュータ）などから受信した印刷データや、ファクシミリ受信した画像データなどの保存に使用される。
【００３８】
表示部１７は、液晶ディスプレイなどで構成され、操作画面、設定画面、案内画面、通信履歴画面などの各種の画面を表示する。操作部１８は、モード選択ボタン、スタートボタン、ストップボタン、テンキーなどの各種のボタン類と、液晶ディスプレイの表面に設けられて押下された座標位置を検出するタッチパネルなどで構成された押下位置検出部１９と、表示部１７の画面上を押下した指の指紋を読み取る指紋検出部２０などで構成される。指紋検出部２０は、たとえば、タッチパネル（押下位置検出部１９）が検出した情報を利用して指紋を読み取るように構成される。指紋の読み取りは他の方式でもかまわない。
【００３９】
画像処理部２１は画像データに対して、画像補正、回転、拡大／縮小、圧縮／伸張など各種の画像処理を施す。また、画像データに別の画像データを合成する画像合成処理なども行う。端末装置３０から入手した合成対象画像を元画像へ合成する処理は画像処理部２１もしくはＣＰＵ１１が行うようになっている。
【００４０】
外部端末通信部２２は、人体を通信路として端末装置３０と各種のデータを送受信する機能を果たす。人体との接続点となる電極（アンテナ）は、電流方式では表示部１７の表面に設けられ、電界方式では、たとえば、表示部１７の表面あるいは表示部１７の画面の周辺に設けられる。
【００４１】
ネットワーク通信部２３は、ＬＡＮ（Local Area Network）などのネットワークを通じて外部ＰＣなどと各種のデータを送受信する機能を果たす。通信制御部２４は、ファクシミリ通信に係るプロトコル制御などを行う。モデム２７は、ディジタル信号をアナログ信号で伝送可能とするための変調やその復調を行い、ＮＣＵ２８は公衆電話回線と接続されて発呼や着呼に関する制御や検出を行う。
【００４２】
電源制御部２５は、複合機１０の各部への電力供給を制御し、複合機１０の全部分へ電力供給する通常モードと、ユーザ操作の開始や着呼を検出する部分以外への電力供給を停止させた省電力モードとの切り替え制御などを行う。
【００４３】
このほか複合機１０は、「ピ」音などを鳴動させたり、音声アナウンスを行ったりするための音声発生部を備えている。
【００４４】
図３は、端末装置３０の概略構成を示すブロック図である。端末装置３０は、当該端末装置３０の動作を統括制御するＣＰＵ３１にバス３２を通じてＲＯＭ３３と、ＲＡＭ３４と、記憶部３５と、データ入力部３６と、表示部３７と、操作部３８と、本体通信部３９などを接続して構成される。
【００４５】
ＲＯＭ３３には、ＣＰＵ３１によって実行される各種プログラムや各種の固定データが記憶されている。ＲＡＭ３４は、ＣＰＵ３１がプログラムを実行する際に各種のデータを一時的に格納するワークメモリや送受信に係るデータを一時的に保存する通信バッファなどとして使用される。
【００４６】
記憶部３５は、不揮発メモリであり、合成に使用されるデータおよび照合用の指紋データが記憶される。合成用のデータは、任意のスタンプの画像データ、ウォータマークとして使用される画像データ、印影データ（印影の画像データ）などの画像データ、あるいは合成される画像の元になるテキストデータなどが記憶される。テキストデータは、たとえば、複合機１０において二次元バーコード化され、その画像が合成対象の画像として使用される。
【００４７】
データ入力部３６は、記憶部３５に記憶されるデータを外部から入力するインターフェース部である。表示部３７は、液晶ディスプレイなどで構成され、操作画面、設定画面などを表示する。操作部３８は液晶ディスプレイ上のタッチパネルや操作スイッチなどで構成される。本体通信部３９は、人体を通信路として複合機１０と各種のデータを送受信する機能を果たす。
【００４８】
次に、画像処理システム５においてスタンプや印影などを元画像に貼り付け合成する場合の動作について説明する。なお、以下、端末装置３０は記憶部３５に合成対象のデータとして画像データを記憶しているものとする。
【００４９】
スタンプや印影などの画像が合成される元画像には、読取部１３で読み取って得た画像、外部ＰＣから受信した画像、外部ＰＣから受信した印刷データをラスタライズして得た画像、ハードディスク装置２６に保存されている画像などが使用される。複合機１０は、ユーザから元画像の取り込みあるいは指定操作を受け、その指定された元画像（指定された画像データに対応する画像）を表示部１７に表示する。
【００５０】
表示部１７に表示されている元画像へ合成対象画像を合成する動作には、本人認証を行わない非認証モードと、指紋による本人認証を行う認証モードがある。非認証モードはセキュリティ管理を必要としない画像を合成対象とする場合の利用に適している。認証モードはセキュリティ管理を必要とする画像を合成対象とする場合の利用に適している。たとえば、合成対象画像が印影のような場合に好適である。
【００５１】
さらに非認証モード、認証モードのそれぞれにおいて、端末装置３０に合成対象として１つの画像データのみが登録されている場合、複数登録されている場合、合成位置を微調整する場合などの動作があり、以下それぞれの場合について説明する。
【００５２】
まず、非認証モードかつ端末装置３０に１つのデータ（合成対象の画像データ）のみが登録されている場合について説明する。
【００５３】
図４は非認証モードかつ端末装置３０に１つのデータのみが登録されている場合における画像合成のシーケンスを、図５はその場合の複合機１０の動作の流れを、図６はその場合の端末装置３０の動作の流れをそれぞれ示している。
【００５４】
複合機１０は表示部１７に元画像を表示する（図５：ステップＳ１０１）。この状態で複合機１０は端末装置３０を身に着けたユーザが表示部１７に表示した元画像上に触れるのを待機する（図５：ステップＳ１０２；Ｎｏ）。ユーザは、表示部１７に表示されている元画像上で、スタンプの合成を希望する位置を押下する（触れる）。
【００５５】
複合機１０は、押下位置検出部１９が表示部１７の画面のユーザによる押下を検出すると（図５：ステップＳ１０２；Ｙｅｓ、図４：Ｐ１）、押下された位置を示す押下位置情報を認識して記憶する(図５：ステップＳ１０３)。押下位置情報は、たとえば、表示部１７の画面上の左下を原点とした座標情報で表わされる。
【００５６】
続いて複合機１０は、合成対象の画像データの送信を要求する画像データ送信要求を端末装置３０に対して送信し（図５：ステップＳ１０４、図４：Ｐ２）、端末装置３０からの返信を待機する（図５：ステップＳ１０５；Ｎｏ）。
【００５７】
画像データ送信要求を受信した端末装置３０は（図６：ステップＳ２０１；Ｙｅｓ、Ｓ２０２；Ｙｅｓ）、記憶部３５に記憶されている合成対象画像の画像データを複合機１０へ送信する（図６、ステップＳ２０３、図４：Ｐ３）。
【００５８】
複合機１０は合成対象画像の画像データを端末装置３０から受信すると(図５：ステップＳ１０５；Ｙｅｓ)、その受信した画像データをステップＳ１０３で認識し記憶した押下位置情報に対応する合成位置で元画像に合成する（図５：ステップＳ１０６、図４：Ｐ４）。さらに複合機１０は、該合成により生成された合成画像の画像データを該合成画像の格納要求と共に端末装置３０に送信し（図５：ステップＳ１０７、図４：Ｐ５）、端末装置３０からの格納完了通知の返信を待機する（図５：ステップＳ１０８；Ｎｏ）。
【００５９】
合成画像の画像データおよび合成画像の格納要求を受信した端末装置３０は（図６：ステップＳ２０１；Ｙｅｓ、Ｓ２０２；Ｎｏ、Ｓ２０４；Ｙｅｓ）、受信した合成画像の画像データを記憶部３５に格納した(図４：Ｐ６)後、格納完了通知を複合機１０に送信する(図６：ステップＳ２０５、図４：Ｐ７)。
【００６０】
複合機１０は、端末装置３０から格納完了通知を受信すると(図５：ステップＳ１０８；Ｙｅｓ)、「ピ」音を鳴動させる等によって、ユーザに対して、押下している指を離しても良い状態となったことを通知し(図５：ステップＳ１０９)、また控え（合成画像）の格納が完了した旨のメッセージを表示部１７に表示して(図５：ステップＳ１１０、図４：Ｐ８)処理を終了する(エンド)。該メッセージは、合成対象画像が合成された部分を避けた位置に表示されたり、専用のメッセージエリアに表示されたりすることが望ましい。
【００６１】
複合機１０では、合成後の合成画像に対して、ユーザの指示に応じた動作、たとえば、ファクシミリ送信やプリントアウトなどが行われる。
【００６２】
このように、端末装置３０を身に着けたユーザは、表示部１７に表示された元画像上で希望の合成位置を指で押下するだけで、端末装置３０に記憶されている合成対象の画像データがその押下位置に自動的に合成されるので、簡単な操作で元画像内の指定位置にスタンプなどの合成対象画像を合成することができる。また、合成後の画像が控えとして自動的に端末装置３０に記憶されるので、手間をかけることなく控えをとることができる。
【００６３】
また、合成対象画像の画像データを端末装置３０から取得するので、該画像データを予め複合機１０に登録しておく必要がなく、登録に関する作業が軽減され、特に複数の複合機１０を使用する場合に有効である。
【００６４】
また、指を離すタイミングを通知するので、ユーザが通信中に指を離してしまうエラーを防止することができる。また、ユーザは、通知を受けることにより、安心して指を離すことができる。
【００６５】
次に、非認証モードかつ端末装置３０に複数のデータ（合成対象の画像データ）が登録されている場合について説明する。
【００６６】
図７は非認証モードかつ端末装置３０に複数のデータが登録されている場合における画像合成のシーケンスを、図８はその場合の複合機１０の動作の流れを、図９はその場合の端末装置３０の動作の流れをそれぞれ示している。
【００６７】
複合機１０は表示部１７に元画像を表示する（図８：ステップＳ３０１）。この状態で複合機１０は、端末装置３０を身に着けたユーザが表示部１７に表示した元画像上に触れるのを待機する（図８：ステップＳ３０２；Ｎｏ）。ユーザは、表示部１７に表示されている元画像上でスタンプの合成を希望する位置を押下する（触れる）。
【００６８】
複合機１０は、押下位置検出部１９がユーザによる表示部１７画面の押下を検出すると（図８：ステップＳ３０２；Ｙｅｓ、図７：Ｐ１）、押下された位置を示す押下位置情報を認識して記憶する(図８：ステップＳ３０３)。
【００６９】
続いて複合機１０は、合成対象の画像データの送信を要求する画像データ送信要求を端末装置３０に対して送信し（図８：ステップＳ３０４、図７：Ｐ２）、端末装置３０からの返信を待機する（図８：ステップＳ３０５；Ｎｏ）。
【００７０】
画像データ送信要求を受信した端末装置３０は（図９：ステップＳ４０１；Ｙｅｓ、Ｓ４０２；Ｙｅｓ）、記憶部３５に記憶されている複数の合成対象画像の画像データを全て複合機１０へ送信する（図９、ステップＳ４０３、図７：Ｐ３）。
【００７１】
複合機１０は合成対象画像の画像データを端末装置３０から受信すると(図８：ステップＳ３０５；Ｙｅｓ)、「ピ」音を鳴動させる等によって、ユーザに対して、押下している指を離しても良い状態となったことを通知する(図８：ステップＳ３０６)。さらに、受信した全ての合成対象画像をポップアップ画面に表示し（図８：ステップＳ３０７、図７：Ｐ４）、それらの中から合成対象とする画像の選択操作をユーザから受け付ける(図８：ステップＳ３０８)。
【００７２】
ポップアップ表示した複数の合成対象画像の中から画像の選択を受けると（ステップＳ３０８；Ｙｅｓ、図７：Ｐ５）、その選択された画像の画像データをステップＳ３０３で認識し記憶した押下位置情報に対応する合成位置で元画像に合成する（図８：ステップＳ３０９、図７：Ｐ６）。さらに複合機１０は、該合成により生成された合成画像の画像データを該合成画像の格納要求と共に端末装置３０に送信し（図８：ステップＳ３１０、図７：Ｐ７）、端末装置３０からの格納完了通知の返信を待機する（ステップＳ３１１；Ｎｏ）。
【００７３】
合成画像の画像データおよび合成画像の格納要求を受信した端末装置３０は（図９：ステップＳ４０１；Ｙｅｓ、Ｓ４０２；Ｎｏ、Ｓ４０４；Ｙｅｓ）、受信した合成画像の画像データを記憶部３５に格納した(図７：Ｐ８)後、格納完了通知を複合機１０に送信する(図９：ステップＳ４０５、図７：Ｐ９)。
【００７４】
複合機１０は、端末装置３０から格納完了通知を受信すると(図８：ステップＳ３１１；Ｙｅｓ)、「ピ」音を鳴動させる等によって、ユーザに対して、押下している指を離すタイミングを通知し(図８：ステップＳ３１２)、また控え（合成画像）の格納が完了した旨のメッセージを表示部１７に表示して(図８：ステップＳ３１３、図７：Ｐ１０)処理を終了する(エンド)。
【００７５】
複合機１０では、合成後の合成画像に対して、ユーザの指示に応じた動作、たとえば、ファクシミリ送信やプリントアウトなどが行われる。
【００７６】
このように、端末装置３０に複数の合成対象画像が記憶されている場合でも、それらが人体を通信路として複合機１０に取り込まれて表示部１７に表示され、該表示された複数の中からユーザは希望の画像を合成対象に選択することができるので、利便性が向上する。また、指を離すタイミングを通知するので、ユーザが通信中に指を離してしまうエラーを防止することができる。また、ユーザは、通知を受けることにより、安心して指を離すことができる。
【００７７】
次に、非認証モードかつ合成位置を微調整する場合について説明する。
【００７８】
図１０は非認証モードかつ端末装置３０にデータ（合成対象の画像データ）が１つのみ登録され、かつ合成位置の微調整を受ける場合における画像合成のシーケンスを、図１１はその場合の複合機１０の動作の流れを示している。端末装置３０の動作は図６と同一である。
【００７９】
複合機１０は表示部１７に元画像を表示する（図１１：ステップＳ５０１）。この状態で複合機１０は、端末装置３０を身に着けたユーザが表示部１７に表示した元画像上に触れるのを待機する（図１１：ステップＳ５０２；Ｎｏ）。ユーザは、表示部１７に表示されている元画像上でスタンプの合成を希望する位置を押下する（触れる）。
【００８０】
複合機１０は、押下位置検出部１９がユーザによる表示部１７画面の押下を検出すると（図１１：ステップＳ５０２；Ｙｅｓ、図１０：Ｐ１）、押下された位置を示す押下位置情報を認識して記憶する(図１１：ステップＳ５０３)。
【００８１】
続いて複合機１０は、合成対象の画像データの送信を要求する画像データ送信要求を端末装置３０に対して送信し（図１１：ステップＳ５０４、図１０：Ｐ２）、端末装置３０からの返信を待機する（図１１：ステップＳ５０５；Ｎｏ）。
【００８２】
画像データ送信要求を受信した端末装置３０は（図６：ステップＳ２０１；Ｙｅｓ、Ｓ２０２；Ｙｅｓ）、記憶部３５に記憶されている合成対象画像の画像データを複合機１０へ送信する（図６、ステップＳ２０３、図１０：Ｐ３）。
【００８３】
複合機１０は合成対象画像の画像データを端末装置３０から受信すると(図１１：ステップＳ５０５；Ｙｅｓ)、「ピ」音を鳴動させる等によって、ユーザに対して、押下している指を離しても良い状態となったことを通知する(図１１：ステップＳ５０６)。そして、ステップＳ５０３で記憶した押下位置情報の示す合成位置（座標情報）を仮合成位置とし、元画像に対してこの仮合成位置が示す位置に合成対象画像を仮合成（表示上で合成するのみで、実際の合成は行わない）した画像を表示部１７に表示する（図１１：ステップＳ５０７、図１０：Ｐ４）。
【００８４】
操作部１８には、図１２に例示するように、合成位置を微調整するための微調整釦５１と、合成位置を確定させるための位置確定釦５２が設けられる。図１２の例では、表示部１７の画面の中で元画像と重複しないエリアに微調整釦５１および位置確定釦５２を配置してある。微調整釦５１は、移動方向を上、下、左、右に個別に指示可能な十字キーとなっている。
【００８５】
微調整釦５１の操作によりユーザから合成位置の移動指示を受けると（図１１：ステップＳ５０８；Ｙｅｓ）、その移動指示に従って仮合成位置（座標）を変更すると共に、この変更後の仮合成位置に対応する位置へ合成対象画像の表示位置を移動させる（図１１：ステップＳ５０９、図１０：Ｐ５）。
【００８６】
位置確定釦５２の操作を受けると（図１１：ステップＳ５１０；Ｙｅｓ、図１０：Ｐ６）、その時点の仮合成位置を、確定した合成位置とし、元画像上のこの確定した合成位置に合成対象画像を合成した合成画像を生成する（図１１：ステップＳ５１１、図１０：Ｐ７）。
【００８７】
複合機１０は、該合成により生成された合成画像の画像データを該合成画像の格納要求と共に端末装置３０に送信し（図１１：ステップＳ５１２、図１０：Ｐ８）、端末装置３０からの格納完了通知の返信を待機する（ステップＳ５１３；Ｎｏ）。
【００８８】
合成画像の画像データおよび合成画像の格納要求を受信した端末装置３０は（図６：ステップＳ２０１；Ｙｅｓ、Ｓ２０２；Ｎｏ、Ｓ２０４；Ｙｅｓ）、受信した合成画像の画像データを記憶部３５に格納した(図１０：Ｐ９)後、格納完了通知を複合機１０に送信する(図６：ステップＳ２０５、図１０：Ｐ１０)。
【００８９】
複合機１０は、端末装置３０から格納完了通知を受信すると(図１１：ステップＳ５１３；Ｙｅｓ)、「ピ」音を鳴動させる等によって、ユーザに対して、押下している指を離すタイミングを通知し(図１１：ステップＳ５１４)、また控え（合成画像）の格納が完了した旨のメッセージを表示部１７に表示して(図１１：ステップＳ５１５、図１０：Ｐ１１)処理を終了する(エンド)。
【００９０】
このように、合成位置の微調整が可能なので、最初に指で押下した位置が希望する合成位置からずれた場合でも、適正な位置に合成位置を調整してスタンプなどの画像を合成することができる。
【００９１】
次に、認証モードの動作を説明する。認証モードはセキュリティ管理を必要とする画像を合成対象とする場合の利用に適しており、ここでは、合成対象画像が印影の場合を例に説明する。認証モードには、指紋の照合を複合機１０で行う場合と、端末装置３０で行う場合がある。まず端末装置３０で指紋の照合を行う場合について説明する。
【００９２】
図１３は、端末装置３０で指紋照合を行う場合の画像合成シーケンスを、図１４はその場合の複合機１０の動作の流れを、図１５はその場合の端末装置３０の動作の流れをそれぞれ示している。
【００９３】
複合機１０は表示部１７に元画像を表示する（図１４：ステップＳ６０１）。この状態で複合機１０は、端末装置３０を身に着けたユーザが表示部１７に表示した元画像上に触れるのを待機する（図１４：ステップＳ６０２；Ｎｏ）。ユーザは、表示部１７に表示されている元画像上で印影の合成を希望する位置を押下する（触れる）。
【００９４】
複合機１０は、押下位置検出部１９がユーザによる押下操作を検出すると（図１４：ステップＳ６０２；Ｙｅｓ、図１３：Ｐ１）、その押下された位置を示す押下位置情報を認識して記憶する(図１４：ステップＳ６０３)。また、このとき指紋検出部２０はそのユーザの指紋を読み取る。該読み取りで得た指紋データはＲＡＭ１６に記憶される（図１４：ステップＳ６０４、図１３：Ｐ１）。
【００９５】
続いて複合機１０は、合成対象の画像データである印影データの送信を要求する印影データ送信要求に先ほどの指紋データを付加したものを端末装置３０に対して送信し（図１４：ステップＳ６０５、図１３：Ｐ２）、端末装置３０からの返信を待機する（図１４：ステップＳ６０６；Ｎｏ）。
【００９６】
指紋データの付加された印影データ送信要求を受信した端末装置３０は（図１５：ステップＳ７０１；Ｙｅｓ、Ｓ７０２；Ｎｏ、Ｓ７０４；Ｙｅｓ）、受信した指紋データと記憶部３５に予め記憶されている照合用の指紋データとを照合する（図１５：ステップＳ７０５、図１３：Ｐ３）。ここでは、照合用の指紋データとその指紋データで照合に成功した場合に複合機１０へ送信すべき印影データとを対応付けて一組としたものを１または複数組、記憶部３５に登録することが可能になっている。端末装置３０は、受信した指紋データを、登録されている各照合用の指紋データとそれぞれ照合して一致するものを検索する。
【００９７】
照合の結果、一致するものがあれば（図１５：ステップＳ７０６；Ｙｅｓ）、一致した指紋に対応した印影データを複合機１０に対して送信する(図１５：ステップＳ７０７、図１３：Ｐ４)。一致するものがなければ（図１５：ステップＳ７０６；Ｎｏ）、照合不成功（エラー）を示す応答を複合機１０に送信する(図１５：ステップＳ７０８)。
【００９８】
端末装置３０から応答を受信した複合機１０は（図１４：ステップＳ６０６；Ｙｅｓ）、その受信内容が印影データの場合は（ステップＳ６０７；Ｙｅｓ）、該受信した印影データをステップＳ６０３で認識し記憶した押下位置情報に対応する合成位置で元画像に合成する（図１４：ステップＳ６１１、図１３：Ｐ５）。さらに複合機１０は、該合成により生成された合成画像の画像データを該合成画像の格納要求と共に端末装置３０に送信し（図１４：ステップＳ６１２、図１３：Ｐ６）、端末装置３０からの格納完了通知の返信を待機する（図１４：ステップＳ６１３；Ｎｏ）。
【００９９】
合成画像の画像データおよび合成画像の格納要求を受信した端末装置３０は（図１５：ステップＳ７０１；Ｙｅｓ、Ｓ７０２；Ｙｅｓ）、受信した合成画像の画像データを記憶部３５に格納した(図１３：Ｐ７)後、格納完了通知を複合機１０に送信する(図１５：ステップＳ７０３、図１３：Ｐ８)。
【０１００】
複合機１０は、端末装置３０から格納完了通知を受信すると(図１４：ステップＳ６１３；Ｙｅｓ)、「ピ」音を鳴動させる等によって、ユーザに対して、押下している指を離しても良い状態となったことを通知し(図１４：ステップＳ６１４)、また控え（合成画像）の格納が完了した旨のメッセージを表示部１７に表示して(図１４：ステップＳ６１５、図１３：Ｐ９)処理を終了する(エンド)。
【０１０１】
一方、端末装置３０から受信した応答がエラーの場合は（図１４：ステップＳ６０８；Ｙｅｓ）、「ピ」音を鳴動させる等によって、ユーザに対して、押下している指を離しても良い状態となったことを通知し(図１４：ステップＳ６０９)、また印影を押印できなかった旨のエラーメッセージを表示部１７に表示して(図１４：ステップＳ６１０)処理を終了する(エンド)。
【０１０２】
次に、指紋の照合を複合機１０で行う場合について説明する。
【０１０３】
図１６は、複合機１０で指紋照合を行う場合の画像合成シーケンスを、図１７はその場合の複合機１０の動作の流れを、図１８はその場合の端末装置３０の動作の流れをそれぞれ示している。
【０１０４】
複合機１０は表示部１７に元画像を表示する（図１７：ステップＳ８０１）。この状態で複合機１０は、端末装置３０を身に着けたユーザが表示部１７に表示した元画像上に触れるのを待機する（図１７：ステップＳ８０２；Ｎｏ）。ユーザは、表示部１７に表示されている元画像上で印影の合成を希望する位置を押下する（触れる）。
【０１０５】
複合機１０は、押下位置検出部１９がユーザによる押下操作を検出すると（図１７：ステップＳ８０２；Ｙｅｓ、図１６：Ｐ１）、その押下された位置を示す押下位置情報を認識して記憶する(図１７：ステップＳ８０３)。また、このとき指紋検出部２０はそのユーザの指紋を読み取り、該読み取りで得た指紋データを記憶する（図１７：ステップＳ８０４、図１６：Ｐ１）。
【０１０６】
続いて複合機１０は、個人認証情報である照合用の指紋データの送信要求を端末装置３０に対して送信し(図１７：ステップＳ８０５、図１６：Ｐ２)、該要求に対する応答の受信を待機する（図１７：ステップＳ８０６；Ｎｏ）。
【０１０７】
個人認証情報の送信要求を受けた端末装置３０は(図１８：ステップＳ９０１；Ｙｅｓ、Ｓ９０２；Ｙｅｓ)、予め記憶部３５に記憶してある照合用の指紋データを複合機１０に対して送信する（図１８：ステップＳ９０３、図１６：Ｐ３）。ここでは、照合用の指紋データとその識別番号とその指紋データで照合に成功した場合に複合機１０へ送信すべき印影データとを対応付けて一組としたものを、記憶部３５に１または複数組登録することが可能になっている。端末装置３０は、記憶部３５に照合用指紋データが１つのみ記憶されている場合はそれを送信する。複数の照合用指紋データが記憶されている場合は、それら全てついて、照合用指紋データとその識別番号とを対応付けて複合機１０に送信する。
【０１０８】
複合機１０は、端末装置３０から照合用の指紋データを受信すると（図１７：ステップＳ８０６；Ｙｅｓ）、受信した各照合用の指紋データとステップＳ８０４で読み取った指紋データとをそれぞれ照合し、一致するものを検索する(図１７：ステップＳ８０７、図１６：Ｐ４)。一致するものがあれば（図１７：ステップＳ８０８；Ｙｅｓ）、端末装置３０に対して、その一致した照合用指紋データに対応する印影データの送信を要求する(図１７：ステップＳ８１１、図１６：Ｐ５)、すなわち、一致した照合用指紋データに対応する識別番号を、印影データの送信要求に付加して送信する。そして、該要求に対する応答の受信を待機する（図１７：ステップＳ８１２；Ｎｏ）。
【０１０９】
印影データの送信要求を受信した端末装置３０は（図１８：ステップＳ９０１；Ｙｅｓ、Ｓ９０２；Ｎｏ、Ｓ９０４；Ｙｅｓ）、該要求に付加されている識別番号に対応する印影データを複合機１０に送信する（図１８：ステップＳ９０５、図１６：Ｐ６）。なお、端末装置３０に照合用指紋データが１つのみ登録されている場合には、識別番号が無くても印影データを特定できるので、識別番号の授受は行わなくてもよい。
【０１１０】
複合機１０は端末装置３０から印影データを受信すると（図１７：ステップＳ８１２；Ｙｅｓ）、該受信した印影データをステップＳ８０３で認識し記憶した押下位置情報に対応する合成位置で元画像に合成する（図１７：ステップＳ８１３、図１６：Ｐ７）。さらに複合機１０は、該合成により生成された合成画像の画像データを該合成画像の格納要求と共に端末装置３０に送信し（図１７：ステップＳ８１４、図１６：Ｐ８）、端末装置３０からの格納完了通知の返信を待機する（図１７：ステップＳ８１５；Ｎｏ）。
【０１１１】
合成画像の画像データおよび合成画像の格納要求を受信した端末装置３０は（図１８：ステップＳ９０１；Ｙｅｓ、Ｓ９０２；Ｎｏ、Ｓ９０４；Ｎｏ、Ｓ９０６；Ｙｅｓ）、受信した合成画像の画像データを記憶部３５に格納した(図１６：Ｐ９)後、格納完了通知を複合機１０に送信する(図１８：ステップＳ９０７、図１６：Ｐ１０)。
【０１１２】
複合機１０は、端末装置３０から格納完了通知を受信すると(図１７：ステップＳ８１５；Ｙｅｓ)、「ピ」音を鳴動させる等によって、ユーザに対して、押下している指を離しても良い状態となったことを通知し(図１７：ステップＳ８１６)、また控え（合成画像）の格納が完了した旨のメッセージを表示部１７に表示して(図１７：ステップＳ８１７、図１６：Ｐ１１)処理を終了する(エンド)。
【０１１３】
一方、指紋照合で一致するものがない場合は（図１７：ステップＳ８０８；Ｎｏ）、「ピ」音を鳴動させる等によって、ユーザに対して、押下している指を離しても良い状態となったことを通知し(図１７：ステップＳ８０９)、また印影を押印できなかった旨のエラーメッセージを表示部１７に表示して(図１７：ステップＳ８１０)処理を終了する(エンド)。
【０１１４】
このように、希望の合成位置を指で押下するという一度の操作で、合成位置の指定と指紋の読み取り、さらには端末装置３０と複合機１０との間での指紋データや印影データの人体通信による授受が行われるので、指紋認証によるセキュリティを確保しつつ、簡単な操作で指定位置に印影を画像合成することができる。
【０１１５】
また、人体通信により端末装置３０と複合機１０との間の通信が行われるので、ＵＳＢメモリなどリムーバブル記憶媒体を利用する場合に生じ得る抜き忘れによる情報漏洩が生じることはない。また着脱の手間もなく利便性が向上する。
【０１１６】
指紋データや印影データは自分が所有する端末装置３０に格納され、多人数で共用される複合機１０には登録しないので、高いセキュリティを確保することができる。また通信も、触ったその時に、触った本人（がもつ端末装置３０）からのみデータが伝えられるので高いセキュリティが確保される。
【０１１７】
なお、認証モードにおいても合成位置の微調整は可能となっている。
【０１１８】
図１２は、病院に設置される複合機１０において、先日受診した患者に対して診断結果確認書を押印入りでファクシミリ送信するに際して、表示部１７に表示された診断結果確認書上で担当医と病院長の押印操作を受ける場合の画面例を示している。
【０１１９】
診断結果確認書内の「印」マークの箇所を担当医と病院長がそれぞれ指で押下すれば、押下時に（指紋を読み取ると同時に）その指および人体を通信路にして複合機１０と各々の（たとえば、ポケット内の）端末装置３０との間で通信が行われる。この通信により指紋データ等の送受信が行われ、複合機１０または端末装置３０のいずれかで指紋照合による本人認証が行われる。照合に成功すると印影データの送受信が人体通信にて行われ、担当医の印影は担当医が押下した位置（Ｘ、Ｙ１）に、病院長の印影は病院長が押下した位置（Ｘ、Ｙ２）にそれぞれ画像合成されて電子印が押印される。
【０１２０】
なお、押下位置を合成位置にするか、押下位置を仮位置としてさらに位置の微調整を許可するかは、別途の設定で切り替えられるようになっている。微調整を許可するモードが設定されている場合には、図１２に示すように、文書の表示領域５３を避けた領域に、微調整釦５１と位置確定釦５２が表示される。なお、微調整釦５１や位置確定釦５２が操作されているときには、指紋の読み取りは行わないようになっている。
【０１２１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２２】
たとえば、実施の形態では端末装置３０の記憶部３５に記憶されている画像データを元画像に合成するようにしたが、記憶部３５に記憶されているデータはテキストデータであってもかまわない。この場合、複合機１０のＣＰＵ１１は、テキストデータをラスタライズした画像データを合成する。あるいはテキストデータが示す内容を二次元バーコードに変換し、この二次元バーコードの画像を元画像に合成する、としてもよい。また、画像合成の日時情報などを二次元バーコードに含めてもよい。また、端末装置３０から合成対象画像として画像データを受信した場合にも日時情報などをさらに合成するように構成されてもよい。
【０１２３】
また実施の形態では、合成後の画像を控えとして端末装置３０に送信して記憶するようにしたが、控えの格納まで行うかどうかは、複合機１０側で設定変更可能に構成されるとよい。すなわち、控えを格納する設定がなされている場合にのみ、複合機１０から端末装置３０へ合成画像およびその格納要求を送信するようにし、端末装置３０を複合機１０から格納要求があれば控えを記憶する仕組みにしておけば、複合機１０側の設定のみで控えを格納するか否かを切り替えることができる。
【０１２４】
逆に、端末装置３０側でその切り替えを行うように構成されてもよい。たとえば、端末装置３０から複合機１０に控えの送信を要求するようにすれば、端末装置３０毎に、すなわち、個人毎に、控えを残す／残さないを切り替えることができる。
【０１２５】
指を離すタイミングの通知は「ピ」音の鳴動に限定されるものではなく、表示で行われてもかまわない。また、端末装置３０にも音声発生部を設けておき、人体を通じた通信の成否などを音声で通知するように構成されてもよい。
【０１２６】
複合機１０と端末装置３０との間の通信は、端末装置３０はいつでも複合機１０からの要求に応答できる状態にしておき、複合機１０は、通信の必要な期間のみ外部端末通信部２２を稼動させるように構成するとよい。たとえば、画像合成にかかわる機能が選択された後、「押印して下さい等」のアナウンスを行った後、もしくはその後の画面押下を検出した段階で外部端末通信部２２を稼動させて端末装置３０との通信を開始するように構成するとよい。なお、端末装置３０は複合機１０との通信によって電力供給を受けて動作するように構成されてもよい。
【０１２７】
このほか実施の形態では複合機１０を例に説明したが、元画像を表示するための表示部、押下位置の検出部、指紋検出部などの機能を備えた画像処理装置であれば他の種類の装置であってもかまわない。たとえば、ファクシミリ装置でも複写機でも良いし、電子印用の専用装置でもかまわない。
【０１２８】
なお、端末装置３０から複合機１０に送信された合成対象画像に係るデータ（画像データや印影データ）および照合用の指紋データなどは、使用後（たとえば、照合後や画像の合成完了後など）に複合機１０から消去される。
【符号の説明】
【０１２９】
５…画像処理システム
１０…複合機
１１…ＣＰＵ
１２…バス
１３…読取部
１４…記録部
１５…ＲＯＭ
１６…ＲＡＭ
１７…表示部
１８…操作部
１９…押下位置検出部
２０…指紋検出部
２１…画像処理部
２２…外部端末通信部
２３…ネットワーク通信部
２４…通信制御部
２５…電源制御部
２６…ハードディスク装置
２７…モデム
２８…ＮＣＵ
３０…端末装置
３１…ＣＰＵ
３２…バス
３３…ＲＯＭ
３４…ＲＡＭ
３５…記憶部
３６…データ入力部
３７…表示部
３８…操作部
３９…本体通信部
５１…微調整釦
５２…位置確定釦
５３…文書の表示領域
【図１】
2010219785.tif 000003
【図２】
2010219785.tif 000004
【図３】
2010219785.tif 000005
【図４】
2010219785.tif 000006
【図５】
2010219785.tif 000007
【図６】
2010219785.tif 000008
【図７】
2010219785.tif 000009
【図８】
2010219785.tif 000010
【図９】
2010219785.tif 000011
【図１０】
2010219785.tif 000012
【図１１】
2010219785.tif 000013
【図１２】
2010219785.tif 000014
【図１３】
2010219785.tif 000015
【図１４】
2010219785.tif 000016
【図１５】
2010219785.tif 000017
【図１６】
2010219785.tif 000018
【図１７】
2010219785.tif 000019
【図１８】
2010219785.tif 000020